(57)【要約】【課題】この発明は、表示された番組表に対して特に時間帯の視認性を向上させるために効果的な色識別を施し、ユーザに見易い形態での番組表表示を行なうことを可能とした番組表表示装置及び番組表表示方法を提供することを目的としている。【解決手段】画面に表示された電子番組表を、その時間軸に沿って所定の時間単位毎に区切るもので、画面上における電子番組表の時間軸方向の移動に基づいて時間が対応付けられる複数の時間表示領域Ｈ１〜Ｈ５を、対応付けられた時間に応じた異なる色相で画面に表示させる。【選択図】    図５
2006094434.tif 000002
【特許請求の範囲】
【請求項１】
番組情報を取得する取得手段と、
前記取得手段で取得した番組情報に基づいてチャンネル軸と時間軸とで構成される電子番組表を作成する作成手段と、
前記作成手段で作成した電子番組表のうちの所定の時間範囲に対応する部分を、画面上で移動可能にして表示させる番組表表示手段と、
前記番組表表示手段で画面に表示された電子番組表を、その時間軸に沿って所定の時間単位毎に区切るもので、画面上における電子番組表の時間軸方向の移動に基づいて時間が対応付けられる複数の時間表示領域を、対応付けられた時間に応じた異なる色相で画面に表示させる時間領域表示手段とを具備することを特徴とする番組表表示装置。
【請求項２】
前記時間領域表示手段は、前記複数の時間表示領域のそれぞれをさらに時間軸方向に複数の領域に分割し、同じ時間表示領域内では、各領域毎に同じ色相で明度を変えて表示させることを特徴とする請求項１記載の番組表表示装置。
【請求項３】
前記時間領域表示手段は、同じ時間表示領域内の各領域に対して、時間の経過に沿って高い明度から低い明度へと順次変化するように表示させることを特徴とする請求項２記載の番組表表示装置。
【請求項４】
前記番組表表示手段は、前記時間領域表示手段により前記複数の時間表示領域に表示された色相に対応して、前記電子番組表内を所定の時間単位毎に色分け表示させることを特徴とする請求項１記載の番組表表示装置。
【請求項５】
前記番組表表示手段は、前記電子番組表内を現在の時間に応じた色相で表示させることを特徴とする請求項１記載の番組表表示装置。
【請求項６】
前記番組表表示手段は、前記電子番組表内を、前記複数の時間表示領域のうち一番古い時間が対応付けられた時間表示領域の色相で表示させることを特徴とする請求項１記載の番組表表示装置。
【請求項７】
前記番組表表示手段は、前記電子番組表内を、該電子番組表上で選択されている番組に対応する時間に応じた色相で表示させることを特徴とする請求項１記載の番組表表示装置。
【請求項８】
前記番組表表示手段は、前記画面内に表示された電子番組表の背景を、現在の時間に応じた色相で表示させることを特徴とする請求項１記載の番組表表示装置。
【請求項９】
前記番組表表示手段は、前記画面内に表示された電子番組表の背景を、前記複数の時間表示領域のうち一番古い時間が対応付けられた時間表示領域の色相で表示させることを特徴とする請求項１記載の番組表表示装置。
【請求項１０】
前記時間領域表示手段は、前記複数の時間表示領域のうちの所定の時間表示領域に現在の時間が対応付けられているとき、時間の経過により現在の時間が前記所定の時間表示領域に対応しなくなった場合、前記所定の時間表示領域に対応付ける時間を自動的に更新させることを特徴とする請求項１記載の番組表表示装置。
【請求項１１】
番組情報を取得する第１の工程と、
前記第１の工程で取得した番組情報に基づいてチャンネル軸と時間軸とで構成される電子番組表を作成する第２の工程と、
前記第２の工程で作成した電子番組表のうちの所定の時間範囲に対応する部分を、画面上で移動可能にして表示させる第３の工程と、
前記第３の工程で画面に表示された電子番組表を、その時間軸に沿って所定の時間単位毎に区切るもので、画面上における電子番組表の時間軸方向の移動に基づいて時間が対応付けられる複数の時間表示領域を、対応付けられた時間に応じた異なる色相で画面に表示させる第４の工程とを具備することを特徴とする番組表表示方法。
【請求項１２】
前記第４の工程は、
前記電子番組表の中の表示が要求されている時間を示す情報を取得する取得工程と、
前記取得工程で取得した情報で示される時間に応じた色相を指定する指定工程とを具備することを特徴とする請求項１１記載の番組表表示方法。
【発明の詳細な説明】
【技術分野】
【０００１】
この発明は、例えばデジタルテレビジョン放送受信装置等に使用して好適する番組表表示装置及び番組表表示方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や録画予約等を行なうことができる。
【０００４】
ところで、ＥＰＧ情報には、放送される多数のチャンネルのそれぞれに対して約１週間分もの電子番組表を作成可能な情報が含まれている。このため、デジタル放送受信装置においては、限られた画面内に全ての電子番組表を同時に表示させることはできないので、電子番組表を部分的に切り換えながら画面表示させることになる。この場合、いかにユーザに見易い形態で効率良く表示できるように工夫を施すかが重要となる。
【０００５】
特許文献１には、時間軸方向が所定時間単位で区切られており、かつ、各区切り枠に文字を表示せずに、各区切り枠に該当する番組のジャンルを識別するための色が塗られた番組表を表示させる技術が開示されている。
【０００６】
また、特許文献２には、番組情報により構成される番組表や一覧表において、ジャンルや視聴料金または利用者の契約状況等を、各番組の情報表示領域の背景色や文字色により表わす技術が開示されている。
【０００７】
さらに、特許文献３には、電子番組情報データを受信し、過去に受信した電子番組情報データと比較して変更があった場合に、これを利用者に視覚的に表示（例えば、当該番組欄の色を他の番組の色と変える、点滅させる等）する技術が開示されている。
【特許文献１】特開２００１−１９７３９０号公報
【特許文献２】特開平９−１３０６９４号公報
【特許文献３】特開２００３−３２５６７号公報
【発明の開示】
【発明が解決しようとする課題】
【０００８】
そこで、この発明は上記事情を考慮してなされたもので、表示された番組表に対して特に時間帯の視認性を向上させるために効果的な色識別を施し、ユーザに見易い形態での番組表表示を行なうことを可能とした番組表表示装置及び番組表表示方法を提供することを目的とする。
【課題を解決するための手段】
【０００９】
この発明に係る番組表表示装置は、番組情報を取得する取得手段と、取得手段で取得した番組情報に基づいてチャンネル軸と時間軸とで構成される電子番組表を作成する作成手段と、作成手段で作成した電子番組表のうちの所定の時間範囲に対応する部分を、画面上で移動可能にして表示させる番組表表示手段と、番組表表示手段で画面に表示された電子番組表を、その時間軸に沿って所定の時間単位毎に区切るもので、画面上における電子番組表の時間軸方向の移動に基づいて時間が対応付けられる複数の時間表示領域を、対応付けられた時間に応じた異なる色相で画面に表示させる時間領域表示手段とを備えるようにしたものである。
【００１０】
また、この発明に係る番組表表示方法は、番組情報を取得する第１の工程と、第１の工程で取得した番組情報に基づいてチャンネル軸と時間軸とで構成される電子番組表を作成する第２の工程と、第２の工程で作成した電子番組表のうちの所定の時間範囲に対応する部分を、画面上で移動可能にして表示させる第３の工程と、第３の工程で画面に表示された電子番組表を、その時間軸に沿って所定の時間単位毎に区切るもので、画面上における電子番組表の時間軸方向の移動に基づいて時間が対応付けられる複数の時間表示領域を、対応付けられた時間に応じた異なる色相で画面に表示させる第４の工程とを備えるようにしたものである。
【発明の効果】
【００１１】
上記した発明によれば、画面に表示された電子番組表を、その時間軸に沿って所定の時間単位毎に区切るもので、画面上における電子番組表の時間軸方向の移動に基づいて時間が対応付けられる複数の時間表示領域を、対応付けられた時間に応じた異なる色相で画面に表示させるようにしたので、表示された番組表に対して特に時間帯の視認性を向上させるために効果的な色識別を施すことができ、ユーザに見易い形態での番組表表示を行なうことを可能とすることができる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２９】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３０】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３１】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３２】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３３】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３４】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３５】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３６】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３７】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３８】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３９】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４０】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４１】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４２】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４４】
ここで、このデジタルテレビジョン放送受信装置１１では、ユーザがリモートコントローラ１７の番組表キー１７ｈを操作することにより、電子番組表を映像表示器１４に表示させることができる。
【００４５】
この電子番組表は、予め放送信号やネットワーク等を介して取得した番組情報であるＥＰＧ情報に基づいて作成されるもので、例えば１週間分の全番組表の中の所定のチャンネル及び日時で指定される部分が映像表示器１４に表示されることになる。この場合、映像表示器１４に表示される電子番組表の部分は、前回に表示されたチャンネルや日時等のラスト条件に基づいて決定される。
【００４６】
図４は、映像表示器１４に表示された電子番組表の一例を示している。この電子番組表は、水平方向が６つの放送局（チャンネル）を配列したチャンネル軸となり、垂直方向が５時間分の時間範囲に対応した時間軸となって、番組を表示している。
【００４７】
すなわち、この電子番組表は、６つの放送局（チャンネル）に対応した表示欄Ａ〜Ｆを有し、各表示欄Ａ〜Ｆが、それぞれ、チャンネル番号表示領域Ａ１〜Ｆ１と、放送局名表示領域Ａ２〜Ｆ２と、番組表示領域Ａ３〜Ｆ３とから構成されている。
【００４８】
また、この電子番組表では、その６つの表示欄Ａ〜Ｆの下部に、リモートコントローラ１７のカーソルキー１７ｆによって選択している番組のチャンネル番号、タイトル及び放送時間等を示す選択番組表示領域Ｇが設けられる。
【００４９】
この場合、選択されている番組Ｌ３は、表示欄Ａ〜Ｆ内において、その番組の表示領域が他の番組の表示領域と色を変えて表示されるが、図４では、ハッチングで囲むことにより表現している。
【００５０】
また、この電子番組表では、その左右に、上から下に向けて１時間毎の時間単位に区切られた５つの時間表示領域Ｈ１〜H５が設けられている。図４では、先頭の時間表示領域H１が、現在時刻である午前９時１３分に対応した午前９時に対応付けられ、他の時間表示領域H２〜H５がそれぞれ午前１０時〜午後１時に対応付けられた状態を示している。そして、現在時刻が午前１０時になると、各時間表示領域H１〜H５が、それぞれ午前１０時〜午後２時に対応付けられるように切り換えられる。
【００５１】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、１画面分の電子番組表を上下左右方向に選択的にスキップさせることが可能である。
【００５２】
この場合、時間軸方向にスクロールやスキップが行なわれると、各時間表示領域H１〜H５は、それぞれ移動後の時間に対応付けられることになる。また、チャンネル軸方向にスクロールやスキップが行なわれると、各チャンネル番号表示領域Ａ１〜Ｆ１及び各放送局名表示領域Ａ２〜Ｆ２は、それぞれ移動後のチャンネル及び放送局に対応付けられることになる。
【００５３】
次に、上記のように映像表示器１４に表示された電子番組表を色分けすることについて説明する。図５は、電子番組表に施した色識別処理の第１の例を示している。なお、図５及び今後説明する色識別処理の他の例を示す電子番組表の図においては、その番組表示領域Ａ３〜Ｆ３及び時間表示領域Ｈ１〜Ｈ５内における枠線や文字等は、簡単のために省略している。
【００５４】
すなわち、図５においては、画面に表示される電子番組表の１時間毎の時間単位に対応した各時間表示領域Ｈ１〜Ｈ５を、それぞれ対応付けられた時間に応じた異なる色で表示するようにしている。
【００５５】
例えば、時間表示領域Ｈ１〜Ｈ５が、それぞれ午前９時〜午後１時に対応付けられ、それらの時間に応じた互いに異なる第１〜第５の色で表示されている状態で、現在時刻が午前１０時になると、時間表示領域Ｈ１〜Ｈ５が、それぞれ、午前１０時〜午後２時に対応付けられ、第２〜第６の色で表示されるようにシフトされる。
【００５６】
上記した第１の例によれば、画面に５時間分の時間範囲を表示可能とする電子番組表において、その時間範囲を所定の時間単位（この場合、１時間単位）で分割し、各時間単位に対応した各時間表示領域Ｈ１〜Ｈ５を、それぞれ対応付けられた時間に応じた異なる色で表示するようにしている。このため、画面内には、時間に対応した５つの異なる色が常に表示されることになり、ユーザに対して時間帯の視認性を向上させることができる。
【００５７】
これに対し、従前の電子番組表には、１日を３〜４の時間帯に分割し、その分割された各時間帯毎に異なる色表示を行なうようにしたものがある。しかしながら、このような手法では、電子番組表を時間軸方向に大きくスクロールさせないと色の境界に到達せず、１画面に表示される時間帯が全て同じ色になってしまうことがあり、色による時間帯の識別が困難になっている。
【００５８】
そこで、上記した第１の例では、従前の電子番組表よりもさらに細かい１時間単位で、それぞれ異なる色を対応付けることにより、画面内に常に複数の色が表示されるようにしたので、ユーザが時間帯を容易に視認することができるようになる。
【００５９】
ここで、各時間表示領域Ｈ１〜Ｈ５に表示させる色としては、各時間表示領域Ｈ１〜Ｈ５に対応付けられる時間に応じた色相が選択される。例えば、午前６時〜午後１２時までは、午前中のイメージに相応しい色相が選択され、午後１２時〜午後６時までは、午後のイメージに相応しい色相が選択され、午後６時〜午前０時までは、夜のイメージに相応しい色相が選択され、午前０時〜午前６時までは、深夜のイメージに相応しい色相が選択される。
【００６０】
図６は、上記した色識別処理を実現する動作を説明するためのフローチャートを示している。すなわち、この動作は、ユーザがリモートコントローラ１７の番組表キー１７ｈを操作することにより開始（ステップＳ６ａ）される。
【００６１】
すると、制御部６１は、ステップＳ６ｂで、電子番組表の作成を行ない、ステップＳ６ｃで、表示が要求されている時間を示す情報を取得する。この情報は、前回に表示されたチャンネルや日時等のラスト条件を示す情報が記憶された不揮発性メモリ６４から得ることができる。
【００６２】
そして、制御部６１は、ステップＳ６ｄで、表示が要求されている時間に応じた色を、予め不揮発性メモリ６４等に格納しておいたカラーパレットから指定し、ステップＳ６ｅで、色識別処理された電子番組表を映像表示器１４に表示させて、処理を終了（ステップＳ６ｆ）する。
【００６３】
図７は、電子番組表に施した色識別処理の第２の例を示している。この第２の例では、図５と同様に、各時間表示領域Ｈ１〜Ｈ５をそれぞれ対応付けられた時間に応じた異なる色相で表示するとともに、各時間表示領域Ｈ１〜Ｈ５をそれぞれ時間軸方向に複数（図示の場合は３つ）の領域Ｈ１ａ，Ｈ１ｂ，Ｈ１ｃ〜Ｈ５ａ，Ｈ５ｂ，Ｈ５ｃに分割し、各領域Ｈ１ａ，Ｈ１ｂ，Ｈ１ｃ〜Ｈ５ａ，Ｈ５ｂ，Ｈ５ｃの明度を順次変化させるようにしている。
【００６４】
この場合、各時間表示領域Ｈ１〜Ｈ５では、それぞれ時間軸方向に分割した３つの領域Ｈ１ａ，Ｈ１ｂ，Ｈ１ｃ〜Ｈ５ａ，Ｈ５ｂ，Ｈ５ｃに対して、時間の経過に沿って高い明度から低い明度へと順次変化させている。例えば、時間表示領域Ｈ１は、時間の経過に沿って３つの領域Ｈ１ａ，Ｈ１ｂ，Ｈ１ｃに分割され、領域Ｈ１ａの明度が高く、領域Ｈ１ｃの明度が低くなるように変化される。
【００６５】
上記した第２の例によれば、第１の例と同様な効果が得られるとともに、各時間表示領域Ｈ１〜Ｈ５の境界では、明度の差が大きい色が隣接するため、時間の変わり目を目立たせることが可能となり、ユーザに対して時間帯の視認性を向上させることができる。
【００６６】
図８は、電子番組表に施した色識別処理の第３の例を示している。この第３の例では、図５と同様に、各時間表示領域Ｈ１〜Ｈ５をそれぞれ対応付けられた時間に応じた異なる色相で表示するとともに、番組表示領域Ａ３〜Ｆ３も、各時間表示領域Ｈ１〜Ｈ５に対応させて色分けするようにしている。
【００６７】
この第３の例によれば、番組表示領域Ａ３〜Ｆ３に表示された番組の放送開始時刻や放送終了時刻等を知る際に、その都度、時間表示領域Ｈ１〜Ｈ５を見て時間を認識しなくても、番組表示領域Ａ３〜Ｆ３に表示された色によって時間が認識されるため、番組の放送時間を容易に確認することができるようになる。
【００６８】
図９は、電子番組表に施した色識別処理の第４の例を示している。この第４の例では、図５と同様に、各時間表示領域Ｈ１〜Ｈ５をそれぞれ対応付けられた時間に応じた異なる色相で表示するとともに、番組表示領域Ａ３〜Ｆ３内を現在の時間に応じた色で表示するようにしている。
【００６９】
図９に示す例では、現在時刻が午前９時１３分であり、時間表示領域Ｈ１が午前９時〜１０時の時間に対応付けられている場合を示している。すなわち、番組表示領域Ａ３〜Ｆ３が時間表示領域Ｈ１と同じ色で表示されている。この第４の例によれば、番組表示領域Ａ３〜Ｆ３内を現在の時間に応じた色で表示することにより、ユーザに対して時間帯の視認性を向上させることができる。
【００７０】
なお、現在時刻に限らず、各時間表示領域Ｈ１〜Ｈ５のうちの画面上で一番上になる、つまり、一番古い時間に対応付けられる時間表示領域Ｈ１の色を、番組表示領域Ａ３〜Ｆ３の色とするように構成することも可能である。
【００７１】
図１０は、電子番組表に施した色識別処理の第５の例を示している。すなわち、この第５の例では、図５と同様に、各時間表示領域Ｈ１〜Ｈ５をそれぞれ対応付けられた時間に応じた異なる色相で表示するとともに、番組表示領域Ａ３〜Ｆ３を、リモートコントローラ１７のカーソルキー１７ｆによって選択している番組Ｌ３の放送時間に応じた色で表示するようにしている。
【００７２】
図１０に示す例では、番組Ｌ３の放送時間が午前１１時〜１１時５０分であるため、午前１１時〜午後１２時の時間に応じた色、つまり、今、午前１１時〜午後１２時の時間に対応付けられている時間表示領域Ｈ３と同じ色で、番組表示領域Ａ３〜Ｆ３が表示されている。
【００７３】
この第５の例によれば、番組表示領域Ａ３〜Ｆ３を、リモートコントローラ１７のカーソルキー１７ｆによって選択している番組Ｌ３の放送時間に応じた色で表示することにより、ユーザに対して時間帯の視認性を向上させることができる。
【００７４】
なお、図７乃至図１０に示した色識別処理動作も、図６に示した動作フローチャートに基づいて実現することができる。
【００７５】
図１１は、電子番組表に施した色識別処理の第６の例を示している。すなわち、この第６の例では、図５と同様に、各時間表示領域Ｈ１〜Ｈ５をそれぞれ対応付けられた時間に応じた異なる色相で表示するとともに、画面内における電子番組表の背景７３を、現在の時間に応じた色で表示するようにしている。
【００７６】
図１１に示す例では、現在時刻が午前９時１３分であり、時間表示領域Ｈ１が午前９時〜１０時の時間に対応付けられている場合を示している。すなわち、背景７３が時間表示領域Ｈ１と同じ色で表示されている。
【００７７】
この第６の例によれば、ユーザは、背景７３の色と各時間表示領域Ｈ１〜Ｈ５の色とを対応させることにより、時間を示す数字表示を読まなくても、色から直感的に現在放送中の番組を容易に見つけることが可能となる。
【００７８】
また、現在の時間が各時間表示領域Ｈ１〜Ｈ５に対応付けられていないとき、つまり、現在の時間から離れた時間帯の電子番組表が表示されている状態では、ユーザは、背景７３の色と各時間表示領域Ｈ１〜Ｈ５の色とを見比べながら、各時間表示領域Ｈ１〜Ｈ５の色が背景７３の色に等しくなる方向に画面をスクロールさせることで、時間を示す数字表示を読まなくても、色から直感的に現在放送中の番組が表示されている画面に移動させることができる。
【００７９】
なお、現在時刻に限らず、各時間表示領域Ｈ１〜Ｈ５のうちの画面上で一番上になる、つまり、一番古い時間に対応付けられる時間表示領域Ｈ１の色を、背景７３の色とするように構成することも可能である。
【００８０】
図１２は、上記した第６の例の色識別処理を実現する動作を説明するためのフローチャートを示している。すなわち、この動作は、ユーザがリモートコントローラ１７の番組表キー１７ｈを操作することにより開始（ステップＳ１２ａ）される。
【００８１】
すると、制御部６１は、ステップＳ１２ｂで、電子番組表の作成を行ない、ステップＳ１２ｃで、表示が要求されている時間を示す情報を取得する。この情報は、前回に表示されたチャンネルや日時等のラスト条件を示す情報が記憶された不揮発性メモリ６４から得ることができる。
【００８２】
そして、制御部６１は、ステップＳ１２ｄで、表示が要求されている時間に応じた色を、予め不揮発性メモリ６４等に格納しておいたカラーパレットから指定する。また、制御部６１は、ステップＳ１２ｅで、背景７３について現在の時間に応じた色をカラーパレットから指定する。その後、制御部６１は、ステップＳ１２ｆで、色識別処理された電子番組表を映像表示器１４に表示させて、処理を終了（ステップＳ１２ｇ）する。
【００８３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８４】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置で表示される電子番組表の一例を説明するために示す図。
【図５】同実施の形態におけるデジタルテレビジョン放送受信装置で表示される電子番組表の色識別処理の第１の例を説明するために示す図。
【図６】同実施の形態におけるデジタルテレビジョン放送受信装置で表示される電子番組表の色識別処理動作を説明するために示すフローチャート。
【図７】同実施の形態におけるデジタルテレビジョン放送受信装置で表示される電子番組表の色識別処理の第２の例を説明するために示す図。
【図８】同実施の形態におけるデジタルテレビジョン放送受信装置で表示される電子番組表の色識別処理の第３の例を説明するために示す図。
【図９】同実施の形態におけるデジタルテレビジョン放送受信装置で表示される電子番組表の色識別処理の第４の例を説明するために示す図。
【図１０】同実施の形態におけるデジタルテレビジョン放送受信装置で表示される電子番組表の色識別処理の第５の例を説明するために示す図。
【図１１】同実施の形態におけるデジタルテレビジョン放送受信装置で表示される電子番組表の色識別処理の第６の例を説明するために示す図。
【図１２】同実施の形態におけるデジタルテレビジョン放送受信装置で表示される電子番組表の第６の例に係る色識別処理動作を説明するために示すフローチャート。
【符号の説明】
【００８５】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３…背景。
【図１】
2006094434.tif 000003
【図２】
2006094434.tif 000004
【図３】
2006094434.tif 000005
【図４】
2006094434.tif 000006
【図５】
2006094434.tif 000007
【図６】
2006094434.tif 000008
【図７】
2006094434.tif 000009
【図８】
2006094434.tif 000010
【図９】
2006094434.tif 000011
【図１０】
2006094434.tif 000012
【図１１】
2006094434.tif 000013
【図１２】
2006094434.tif 000014